(57)【要約】【課題】【解決手段】折り畳まれた状態と展開状態を有し、展開した状態において、横切断面に順次つながったＶ字型形状が現れて、Ｖ字型の頂の両側の側面が支脚を形成し、折り畳まれた状態において、基本的に平板状を形成する支持部分と、少なくとも一端が支持部分の一方とつながっている蓋部を有する折り畳み椅子。本発明の折り畳み椅子は、携帯に便利で、構造が簡単であり、人々の日常生活におけるの需要を非常にうまく満たすことができる。
2013526305.tif 000002
【特許請求の範囲】
【請求項１】
折り畳まれた状態と展開した状態を有し、展開した状態において、横切断面に順次つながったＶ字型形状が現れて、Ｖ字型の頂の両側の側面が支脚（１１、１２、１３）を形成し、折り畳まれた状態において、基本的に平板状を形成する支持部分（１０）と、
少なくとも一端（２１）が前記支持部分の一方（１４）とつながっている蓋部（２０）と、
を有することを特徴とする折り畳み椅子。
【請求項２】
前記支持部分が単一層又は多層構造であることを特徴とする請求項１に記載の折り畳み椅子。
【請求項３】
前記支持部分の少なくとも一部に多層構造を有し、前記多層構造の延伸が前記支持部分を超え、隣合う前記Ｖ字型形状の間のＶ型溝部の先端角に形成されることを特徴とする請求項２に記載の折り畳み椅子。
【請求項４】
前記蓋部の側辺の縁（２１、側辺の縁２２）が円弧形に形成されていることを特徴とする請求項１に記載の折り畳み椅子。
【請求項５】
展開した状態において、前記支持部分の真ん中の支脚（１２）の幅が両側の支脚（１１，１３）の幅よりも広く、前記真ん中の支脚の幅は円弧形の前記蓋部の中央の幅に対応していることを特徴とする請求項４に記載の折り畳み椅子。
【請求項６】
前記蓋部の形状は長方形、正方形あるいはその他の形式の正多角形であることを特徴とする請求項１に記載の折り畳み椅子。
【請求項７】
前記蓋部は偶数辺の多辺形形状を有し、前記支持部分が含む複数の支脚において、前記展開した状態において、前記支脚の幅が前記蓋部の多辺形形状に従って前記蓋部の両側から中央に向かってだんだんと増加することを特徴とする請求項６に記載の折り畳み椅子。
【請求項８】
前記蓋部が向かい合う両端がそれぞれ前記支持部分の両側につながっており、なお且つ前記蓋部が前記両端の方向に沿って平行に、その中間部分を折り畳むことができることを特徴とする請求項１に記載の折り畳み椅子。
【請求項９】
前記蓋部の一端（２１）と前記支持部分の一方（１４）がつながっており、前記蓋部のもう一端（２３）に第１係合部（２４）を有し、前記支持部分のもう一方（１５）に前記第１係合部（２４）に対応した第１係止部（１６）を有することを特徴とする請求項１に記載の折り畳み椅子。
【請求項１０】
前記第１係止部の箇所に第２係合部が設けられ、前記第１係合部上に前記第２係合部に対応した第２係止部を有することを特徴とする請求項９に記載の折り畳み椅子。
【請求項１１】
前記折り畳み椅子は、板紙、プラスチック板、木板又は合金板からなることを特徴とする請求項１から１０記載のいずれかに記載の折り畳み椅子。
【請求項１２】
前記折り畳み椅子の表面に防水層が塗装又は防水膜が粘着されていることを特徴とする請求項１１に記載の折り畳み椅子。
【請求項１３】
前記支持部分は互いに向かい合う側面に順次貼り合わされて一つになった複数の支持部（１０ａ、１０ｂ）によって形成され、前記支持部の貼り合わせる側面に用いられる以外の表面に防水層又は防水膜が設けられていることを特徴とする請求項１１に記載の折り畳み椅子。
【請求項１４】
前記蓋部の内側面に強化板（２５）が設けられていることを特徴とするクレーム１に記載の折り畳み椅子。
【請求項１５】
前記強化板は、板紙、木板、プラスチック板又は合金板からなることを特徴とするクレーム１４に記載の折り畳み椅子。
【請求項１６】
前記支持部分は一体式の外部輪郭と、前記外部輪郭の内部の中間部分に設けられた支持板とを含むことを特徴とする請求項１に記載の折り畳み椅子。
【発明の詳細な説明】
【技術分野】
【０００１】
本発明は椅子分野に係り、具体的には折り畳み椅子に係るものである。
【背景技術】
【０００２】
人々は外出時に、よく座って休憩又は何らかの事情を処理する必要がある。しかしながら、公共場所において、至る所に行き交う人が止まって休む椅子を設けるというわけにはいかず、従って、人々が必要なときに、いつでもどこでも座って休憩できる、携帯に便利な椅子が必要となる。また、時に我々は家の中でも、何らかの需要のある所に置いて使用でき、なお空間の制限を受けない、移動に便利な椅子があることを望んでいる。
【発明の概要】
【発明が解決しようとする課題】
【０００３】
本発明の目的は、携帯に便利で、軽量コンパクトな上記技術課題を解決できる折り畳み椅子を提供することにある。
【課題を解決するための手段】
【０００４】
上述の目的に対して、本発明により、折り畳まれた状態と展開した状態を有し、展開した状態において、横切断面に順次つながったＶ字型形状が現れ、前記Ｖ字型の両側の側面に支脚が形成され、折り畳まれた状態において、平板状に形成される支持部分と、少なくとも一端が支持部分の一方とつながっている蓋部とを有する折り畳み椅子を提供する。
【０００５】
さらに、本発明の折り畳み椅子によると、支持部分が単一層又は多層構造である。
【０００６】
さらに、本発明の折り畳み椅子によると、支持部分の少なくとも一部分に多層構造を有し、この多層構造の延伸は支持部分を超え、隣合うＶ字型形状の間のＶ型溝部の先端角に形成される。
【０００７】
さらに、本発明の折り畳み椅子によると、蓋部の側辺の縁が円弧形に形成されている。
【０００８】
さらに、本発明の折り畳み椅子によると、展開した状態において支持部分の真ん中の支脚の幅が両側の支脚の幅よりも広く、真ん中の支脚の幅は円弧形の蓋部の中央の幅に対応している。
【０００９】
さらに、本発明の折り畳み椅子によると、蓋部の形状は長方形、正方形又はその他の形式の正多辺形である。
【００１０】
さらに、本発明の折り畳み椅子によると、蓋部が偶数辺の多辺形形状を有し、支持部分が含む複数の支脚において、展開した状況において、支脚の幅が蓋部の多辺形形状に従って蓋部の両側から中央に向かってだんだんと増加する。
【００１１】
さらに、本発明の折り畳み椅子によると、蓋部の向かい合う両端がそれぞれ支持部分の両側につながっており、なお且つ蓋部が両端の方向に沿って平行に、その中間部分を折り畳むことができる。
【００１２】
さらに、本発明の折り畳み椅子によると、蓋部の一端と支持部分の一方がつながっており、蓋部のもう一端に第１係合部を有し、支持部分のもう一方に第１係合部に対応した第１係止部を有する。
【００１３】
さらに、本発明の折り畳み椅子によると、第１係止部の箇所に第２係合部が設けられ、前記第１係合部上に前記第２係合部に対応した第２係止部を有する。
【００１４】
さらに、本発明の折り畳み椅子によると、折り畳み椅子は、板紙、プラスチック板、木板又は合金板からなる。
【００１５】
さらに、本発明の折り畳み椅子によると、折り畳み椅子の表面に防水層が塗装又は防水膜が粘着されている。
【００１６】
さらに、本発明の折り畳み椅子によると、支持部分は互いに向かい合う側面に順次貼り合わせられて一つになった複数の支持部によって形成され、支持部の貼り合わせる側面に用いられる以外の表面に防水層又は防水膜が設けられている。
【００１７】
さらに、本発明の折り畳み椅子によると、蓋部の内側面に強化板が設けられている。
さらに、本発明の折り畳み椅子によると、強化板は、板紙、木板、プラスチック板又は合金板からなる。
【００１８】
さらに、本発明の折り畳み椅子によると、支持部分は一体式の外部輪郭と、外部輪郭の内部の中間部分に設けられた支持板とを含む。
【発明の効果】
【００１９】
本発明は次のような技術効果を奏する。
本発明の折り畳み椅子によると、支持部分と蓋部とを有し、使用しない際は折り畳んで、かばんに入れることができ、使用の需要がある際には、折り畳み椅子を展開し、蓋部によって支持部分の上に蓋をすることで使用できる。本発明の折り畳み椅子は、携帯に便利で、構造が簡単であり、人々の日常生活における需要を非常にうまく満たすことができる。
【００２０】
以上の一般的な描写と以下の詳細な描写は、いずれも性質を列挙、説明するものであるが、その目的は保護を求める本発明をさらに説明するためであることを理解しておいていただきたい。
【図面の簡単な説明】
【００２１】
図面は本明細書の一部分を構成し、本発明をさらに理解するのを助長するために用いられる。これらの図面は、本発明の一定の実施例を図解し、明細書とともに本発明の原理を説明するのに用いられる。図面における同一の部材には同一の番号によって表示している。
【００２２】
【図１】図１は、本発明の一実施例に基づく折り畳み椅子を示した図である。
【図２】図２は、本発明の一実施例に基づく折り畳み椅子を示したもう一つの図である。
【図３】図３は、本発明の一実施例に基づく折り畳み椅子の蓋部を開けた状態を示した図である。
【図４】図４は本発明の一実施例に基づく折り畳み椅子の蓋部を開けた状態を示したもう一つの図である。
【図５】図５は、本発明の一実施例に基づく折り畳み椅子の折り畳み状態を示した図である。
【図６】図６は、本発明の一実施例に基づく折り畳み椅子を示したもう一つの図である。
【図７】図７は、本発明のもう一つの実施例に基づく折り畳み椅子を示した図である。
【図８】図８は、本発明のもう一つの実施例に基づく折り畳み椅子の折り畳んだ状態を示した図である。
【図９Ａ】図９Ａは、本発明の実施例の折り畳み椅子の支持部分の横切断面を示した図である。
【図９Ｂ】図９Ｂは、本発明の実施例の折り畳み椅子の支持部分の横切断面を示した図である。
【図９Ｃ】図９Ｃは、本発明の実施例の折り畳み椅子の支持部分の横切断面を示した図である。
【発明を実施するための形態】
【００２３】
以下は、図面を参照し、例示的な実施例と組み合わせて本発明の実施方法について説明を行う。
【００２４】
本発明は、基本構造に支持部分と蓋部を含み、折り畳み状態（非使用状態）と展開状態（使用状態）を有し、折り畳み状態において、支持部分と蓋部は折り畳まれ、支持部分が基本的に平板状となり、使用者が便利に携帯できるようになっており、展開した状態において、折り畳み椅子の支持部分が展開され、支持部分の横切断面に順次つながったＶ字型形状が現れ、なおかつＶ字型の頂の両側の側面が支脚を形成し、展開された後の支持部分の一端が地面に立ち、もう一端が蓋部に蓋されることにより、使用者が蓋部上に座って休むことができる折り畳み椅子を提供する。
【００２５】
図１から図４中の例示的な実施例を参照して、本発明の折り畳み椅子の構造について描写しており、図１、２における折り畳み椅子は、折り畳まれた状態と展開した状態（例えば、それぞれ図５と図１において示すように）を有し、複数の脚１１、１２、１３を持った支持部分１０と、図１の実施例において、蓋部２０の一端２１が支持部分１０の一方１４とつながっている蓋部２０を含んでいる。
【００２６】
本発明の折り畳み椅子によると、その支持部分１０は単一層、二重層さらにはさらに多数の層を有する構造で、多層構造の状況下において、支持部分１０は一部分が多層構造であっても、全体が多層構造であってもよい。通常、多層構造のほうが強度がより優れているが、支持部分１０が単一層の状況下においても、強度向上のために、単一層の板の厚さを大きくすることができる。事実上、多層板を採用するのも支持部分１０の厚さを大きくするためである。
【００２７】
さらに、本発明の実施例の折り畳み椅子において、支持部分１０の構造は二層構造（例えば、図９Ａ、図９Ｂに表示）で、支持部分１０の強度を増強するのに便宜をきたし、荷重能力を向上させている。図９Ａ中に示した二重構造は、支持部分１０全体構造の約半分を占め、即ち、基本的に両側の二つの脚１１と１３を覆い、図９Ｂ中に示した二重構造は支持部分１０のＶ型溝部の先端角の部分（折れ線部分）を超えて延伸させ、基本的に３つの支脚１１、１２、１３全てをカバーするように延伸させ、より顕著に支持部分１０の強度を強化することができる。二重構造で上述のＶ型溝部の先端角の部分を超えない場合（例えば図９Ａに示すように）、強度を向上させる効果は少し弱くなる。図に示したように、上述のＶ型溝部は二つの隣合うＶ字型形状の間に形成される。
【００２８】
本発明によると、支持部分１０の二重構造（及びさらに多層の構造）は、例えば粘着により密接に貼り合わせられている。二重構造の作り方は支持部分１０の具体的な設計に基づいて決定することができる。本実施例において、支持部分１０は左右二つの支持部１０ａ、１０ｂが粘着して形成され、図２に示したように、各支持部１０ａ、１０ｂはそれぞれあらかじめ形成された折れ線に沿って、例えば板紙（例えば段ボール）の板材を必要な形状に折り畳んだのち、板材の重なる部分を貼り合わせて形成する（図９Ａと図９Ｂに示す通り）。具体的には、このような状況下において、折り畳み成形したのち、各支持部１０ａ、１０ｂはいずれも２つの連結したＶ字型形状を含み、なおかつ、支持部１０ａと１０ｂはそれぞれ連なった二つのＶ字型形状によって支持部分１０の真ん中の支脚１２を形成する。この時、二重構造とするために、各支持部１０ａ、１０ｂの重複部分を延長させることができ、重複部分はＶ型溝部（図９Ａと図９Ｂに示したように、Ｖ型溝部は二つのＶ字型形状の間に形成される）の先端角の部分を超えるように延伸させ、より優先的には、支持部１０ａ、１０ｂを延伸させた長さ全体がそれぞれが重複するようにするのがよい。もちろん、左右の支持部１０ａ、１０ｂのそれぞれ対応する側面は接着する必要があることから、この接着する側面は二重構造を形成せずともよく、つまり、重複部分は連結に用いる側面まで延伸させずともよい。その他の実施例において、例えば、支持部分が一体式に形成されている場合、即ち一枚の板材を利用して支持部分の外部主体の輪郭を形成し、さらに当該主体輪郭の内側の中間部分に支持板を設ける場合には、二重板材を直接採用して支持部分の主体を形成し、二重構造とすることができる。
【００２９】
この他、説明しておかねばならないのは、上述の延伸による方法で二重層（又は多層）構造を形成する方法について、置き換えとして、延伸による方法を採用せずに二重構造を形成することもでき、すなわち分離式に作成することができるということである。具体的には、二重構造をＶ字型形状の先端角の部分で分け、Ｖ字型形状の先端角の部分の両側にそれぞれ一層板材を加設する。この方法によって二重構造を形成する際、先端角を折り畳む問題は比較的容易に処理でき、なぜなら一体式の二重層或いは多層構造において、先端角の部分は板材の厚さが比較的大きいことから、折り畳み線の形成について、幅と深さが適切な折り畳み線が支持部分１０がスムーズに折れるのに役立つように、比較的高い要求がなされるからである。このような分離式の多層構造においては、支持部分１０の支持部１０ａ、１０ｂは複数枚の板材によってそれぞれ接合して作成することができ、その中の一つの例として、９Ｃに示すように、支持部１０ａ、１０ｂはそれぞれ三枚の板材によって互いに貼り合わされて形成されていてもよい。
【００３０】
上述のとおり二重構造の実現方法について詳細に描写したが、多層の構造について、その実現も類似した実現方法を採用することができる。さらに、支持部分１０を多層構造に構成する以外に、さらに折り畳み椅子の荷重能力を増加させるとともに、椅子の快適度を向上させるために、図１に示した実施例において、折り畳み椅子の蓋部２０の側辺の縁２２を円弧形に形成している。通常、折り畳み椅子の蓋部２０は直接長方形に加工することもできる（図７に示した実施例の通り）が、同じような典型的な長方形の蓋部に比べ、縦方向の長さが同じ状況において、側辺の縁２２を円弧形に形成した蓋部２０の腰掛部分の面積が大きくなり、快適度を向上させるとともに、荷重重量の分散にも役立ち、なおかつ蓋部２０の全体面積も増大し、荷重量の増加にも役立つ。本実施例の蓋部２０について、側辺の縁２２が円弧形を形成し、即ち蓋部２０の中部の横向きの幅が増大するが、両端２１、２３の幅はそのまま変えなくともよく（同じく始めの長方形の蓋部と比較して）、又は、適切に両端２１、２３の幅を減少させてもよく、説明しておきたいのは、両端２１、２３の幅はほぼ減少されるにも関わらず、蓋部２０の全体的な荷重面積は依然として増大するということである。図５、６は、本実施例の折り畳み椅子が折り畳まれた状態における図を示している。
【００３１】
対応して、蓋部２０の側辺の縁が円弧形に形成される状況下において、図１、５に示すように、支持部分１０の真ん中の支脚１２の幅を両側の支脚１１、１３の幅より大きく設定し、真ん中の支脚１２を展開した状態において幅が円弧形の蓋部２０の中央の幅に相当するようにする。こうして、さらに折り畳み椅子の荷重能力を向上させ、安定性を増すことができる。
【００３２】
当然、その他の実施例中において、蓋部２０が円弧形の縁を有しておらず、普通の長方形の形状であったとしても、依然として支脚の幅を広げることで支持部分１０の荷重能力を増加することができる。対応して、長方形の蓋２０の幅もそれに従って広がる。本発明の折り畳み椅子について、蓋部２０の形状は長方形以外に、長方形或いはその他の形式の正多辺形であってもよい。
【００３３】
優先的に、本折り畳み椅子の支持部分は対象構造であることから、上面の蓋部も対称構造に形成され、この時蓋部は偶数辺の多辺形に形成される。この時、支持部分に含まれる複数の支脚において、複数の支脚の幅は蓋部の多辺形形状に従って両側から中央に向かってだんだんと増加し、両側の支脚の幅が最も狭く、中間の幅が最も広くなる。
さらに、図３に示すように、本実施例の折り畳み椅子の蓋部２０の一端２１は支持部分１０の一方１４とつながっており、蓋部２０のもう一端２３に第１係合部２４を有し、支持部分１０のもう一方１５に第１係合部２４に対応する第１係止部１６を有する。この時、支持部分１０を展開した後、蓋部２０の第１係合部２４は、支持部分１０の第１係止部１６の中に差込まれ、形成された折り畳み椅子となる。具体的には、上述の第１係止部１６は直接支脚１３の内側面であってもよく、つまり、第１係合部２４は直接支脚１３の内側面に差込まれてあってもよい。また、支脚１３の内側に、例えば差込溝を形成するなど別途係止部を設けて、第１係止部１６が当該差込溝の中に差込まれてもよい。
【００３４】
優先的に、上述の第１係合部２４と第１係止部１６を基礎として、さらに連結の安定性を増加させるために、さらに別途係止部と係合部を添加することもできる。例えば、前記第１係止部１６の箇所に第２係合部（未表示）が設けられ、対応して、前記第１係合部２４上に第２係合部に対応した第２係止部（未表示）を有する。典型的な実施例において、第１係合部２４と第２係合部はいずれも舌状に形成し、第１係止部１６と第２係止部はいずれも差込溝に形成することができる。
【００３５】
図７、８は本発明の折り畳み椅子の別の実施例を示しており、蓋部２０の両端２１、２３はそれぞれ支持部分１０の両側と繋がっており、蓋部２０はその両端２１、２３に平行する方向において中間部分で折り畳むことができる。このような状況下において、折り畳み椅子を折り畳んだあと、蓋部２０の二つの半分の部分２０ａ、２０ｂは中央の折り畳み線２０ｃに沿って折り畳まれ、具体的には図８に示した通りである。
【００３６】
優先的に、本折り畳み椅子の支持部分１０と蓋部２０の折り畳みが必要な部位には、いずれも折り畳み線が予め形成され、折り畳みや展開して形成するのに便利となっている。また、環境保護と重量軽減を考慮のうえ、本発明の折り畳み椅子は、板紙（例えばダンボール）から作ることができる。勿論、制作材料は板紙に限らず、例えば木板、合金板（優先的に軽量な合金板）、プラスチック（例えば、プラスチック製ダンボール）などのその他の板材も採用できる。その他の板材を採用する際、支持部分と蓋部の折り畳み部位は、例えばヒンジによって連結できる。そして、良好な防水機能を得るために、板紙を採用して作成された本折り畳み椅子である状況においては、板紙の表面に防水層を塗装又は防水膜を粘着することができる。特に、プラスチック製ダンボールを採用する場合、粘着する方法で連結でき、なおかつ防水性が優れていることから、この時は防水膜又は防水層を別途増やさずともよい。この他、上述板材は、実際の需要に基づいて組合わせて使用することもできる。
【００３７】
上述した通り、折り畳み椅子の支持部分１０は複数の支持部１０ａ、１０ｂを含み、支持部はそれぞれ結合されて複数の支脚を形成し、支持部１０ａ、１０ｂの連結に用いられる側面には防水層又は防水膜が設けられていない。これは、時に防水層又は防水膜によって界面の間の粘着強度が弱まり、時間の経過に伴って、連結された支持部１０ａ、１０ｂが剥がれる状況が発生し得るためである。上述の剥がれる状況を防止し、連結強度を強めるために、本発明の実施例において、上述の設置を行い、支持部１０ａ、１０ｂの連結界面の間の強度を向上させている。同時に、折り畳み椅子の大部分の領域にいずれも防水処理を行っていることから、全体的な防水能力が著しく低下することはない。この他、その他の実施例において、支持構造１０は上述の支持部１０ａ、１０ｂに類似した複数の支持部を有することができ、これによって本折り畳み椅子の長さも対応して増加させることができる。
【００３８】
優先的に、本発明の折り畳み椅子において、蓋部２０の内側に強化板２５（図４に示した通り）を設け、さらに荷重能力を増加させることもできる。具体的には、強化板は板紙、木板、プラスチック板又は合金板（優先的に軽量な合金板）で作ることができる。さらに、蓋部２０の内側は製品の使用説明書を印刷する又は貼り付けることができる。
本発明の折り畳み椅子が折り畳まれた後の構造は隙間がなく、厚さがほぼ本一冊の厚さほどで、携帯に便利である。
【００３９】
以上は、本発明の優先的な実施例であるというだけで、本発明を決して制限するものではない。本分野の技術者にとって、本発明は各種の変更、変化を有するものであると言える。おしなべて本発明の精神と原則の内において行われるいかなる修正、同等の置換え、改良などはいずれも本発明の保護範囲の中に含まれるべきである。
【図１】
2013526305.tif 000003
【図２】
2013526305.tif 000004
【図３】
2013526305.tif 000005
【図４】
2013526305.tif 000006
【図５】
2013526305.tif 000007
【図６】
2013526305.tif 000008
【図７】
2013526305.tif 000009
【図８】
2013526305.tif 000010
【図９Ａ】
2013526305.tif 000011
【図９Ｂ】
2013526305.tif 000012
【図９Ｃ】
2013526305.tif 000013
【国際調査報告】
2013526305.tif 000014
2013526305.tif 000015
2013526305.tif 000016
2013526305.tif 000017
2013526305.tif 000018
2013526305.tif 000019
2013526305.tif 000020
2013526305.tif 000021